(57)【要約】      （修正有）【課題】携帯品を取り付けた状態で水に浮き、携帯品の存在場所を示すことができ、かつコンパクトで使用感の良い携帯品カバーを提供する。【解決手段】表表紙部と、裏表紙部と、背表紙部とを少なくとも備え、書物、ノートブック、スケッチブック、メモ帳、モバイル携帯端末を含む携帯品を包むカバーであって、表表紙部２ａと裏表紙部２ｂの少なくとも何れかの表紙部における内面側と外面側の少なくとも何れかの側に、気泡緩衝材３又は空気緩衝材の緩衝材が設けられ、携帯品を水に浮かせる。カバーを取り付けた状態で携帯品が水に浸かったとしても、水に浮き、紛失等を防止でき、更には携帯品の存在場所を示すことができる。【選択図】図１
0003229871.tif 000002
【実用新案登録請求の範囲】
【請求項１】
表表紙部と、裏表紙部と、背表紙部とを少なくとも備え、書物、ノートブック、スケッチブック、メモ帳、モバイル携帯端末を含む携帯品を包むカバーにおいて、
前記カバーは、前記表表紙部と前記裏表紙部の少なくとも何れかの表紙部における内面側、外面側又は内部の少なくとも何れかに、気泡緩衝材と空気緩衝材の少なくとも何れかの緩衝材が設けられ、前記携帯品を水に浮かせることを特徴とする携帯品カバー。
【請求項２】
前記カバーは、前記表表紙部と前記裏表紙部の少なくとも何れかの表紙部の内部に、前記緩衝材が設けられたことを特徴とする請求項１に記載の携帯品カバー。
【請求項３】
前記カバーで包む対象の前記携帯品の許容質量と前記カバーの質量の合計から換算した重力より、前記カバーの水中での浮力が大きくなるように、前記カバーの前記緩衝材の気泡又は空気の総体積が設計されたことを特徴とする請求項１又は２に記載の携帯品カバー。
【請求項４】
前記カバーで包む対象の前記携帯品の許容質量と前記カバーの質量の合計から換算した重力より、前記カバーで包まれた前記携帯品の水中での浮力が大きくなるように、前記携帯品の許容体積と前記カバーの前記緩衝材の気泡又は空気の総体積とが設計されたことを特徴とする請求項１又は２に記載の携帯品カバー。
【請求項５】
前記携帯品の体積は、縦及び横の長さと厚みから算出され、
前記カバーの表表紙部と裏表紙部の縦及び横の長さが、前記携帯品の縦及び横の長さと略同等又は大きく、
前記背表紙部の厚みが、前記携帯品の厚みと比べて同等又は大きいことを特徴とする請求項１〜４の何れかに記載の携帯品カバー。
【請求項６】
前記緩衝材が前記表紙部の内面側又は外面側に設けられた場合には、設けられた面上に、前記緩衝材を被覆するシート部材が貼り付けられたことを特徴とする請求項１に記載の携帯品カバー。
【請求項７】
前記表表紙部には折り返し部が延設され、
前記折り返し部の内面側に面ファスナのループ部、前記裏表紙部の外面側に面ファスナのフック部が設けられ、又は、前記折り返し部の内面側に面ファスナのフック部、前記裏表紙部の外面側に面ファスナのループ部が設けられたことを特徴とする請求項１〜６の何れかに記載の携帯品カバー。
【請求項８】
前記カバーは、軟質の樹脂素材から成ることを特徴とする請求項１〜７の何れかに記載の携帯品カバー。
【請求項９】
請求項１〜８の何れかに記載の携帯品カバーと、耐水紙が用いられたノートブック、スケッチブック又はメモ帳の何れかの前記携帯品と、から成る携帯品カバーセット。
【考案の詳細な説明】
【技術分野】
【０００１】
本考案は、書物、ノートブック、スケッチブック、メモ帳、モバイル携帯端末などの携帯品のカバーに関するものであり、水没を回避したい、又はカバーを付けた携帯品を水に浮かせるための携帯品のカバーに関するものである。
【背景技術】
【０００２】
従来から、書籍やノートを汚れや破損から守るために、ブックカバーやノートカバーが多く利用されている。一般的なブックカバーやノートカバーは、表表紙部、裏表紙部及び背表紙部を備え、本やノートの外面を被覆するように取り付けることで、本やノートを汚れ等から保護するものである。
【０００３】
また、ブックカバーにおいては、浴室内で読書ができるように、防水性を持たせたブックカバーが知られている（特許文献１を参照）。これは、本の表表紙部、裏表紙部及び背表紙部だけではなく、各ページについてもページカバーを設けることで、全てのページに防水性を持たせたものである。
しかしながら、上記特許文献１に開示されたブックカバーでは、防水機能は有するものの、水に浮く機能を有するわけではない。例えば、海辺で読書したり、ノートにメモしたりというように、海や川などの近くで本やノートを使用するニーズは存在する。ところが、水に浮く機能を有しないブックカバーやノートカバーでは、防水機能を有していたとしても、カバーを取り付けた本やノートが水中に落ちて沈んでしまえば、容易に引き上げることはできず、紛失しやすいという問題がある。
【０００４】
そこで、水中において沈むことのないように、浮き部材をカバーに取り付けることが考えられるが、浮き部材のサイズが大きすぎると、カバーのサイズが大きくなり携帯性が損なわれるという問題がある。これに対して、浮き部材のサイズを小さくし過ぎると、コンパクトになり、携帯性は向上するが、その反面、本やノートが沈みやすくなるという問題がある。
【先行技術文献】
【特許文献】
【０００５】
【特許文献１】実開平７−７４８号公報
【考案の概要】
【考案が解決しようとする課題】
【０００６】
上記状況に鑑みて、本考案は、携帯品を取り付けた状態で水に浮き、携帯品の存在場所を示すことができ、かつコンパクトで使用感の良い携帯品カバーを提供することを目的とする。
【課題を解決するための手段】
【０００７】
上記目的を達成すべく、本考案の携帯品カバーは、表表紙部と、裏表紙部と、背表紙部とを少なくとも備え、書物、ノートブック、スケッチブック、メモ帳、モバイル携帯端末を含む携帯品を包むカバーにおいて、カバーは、表表紙部と裏表紙部の少なくとも何れかの表紙部における内面側、外面側又は内部の少なくとも何れかに、気泡緩衝材と空気緩衝材の少なくとも何れかの緩衝材が設けられ、携帯品を水に浮かせるものである。
カバーに気泡緩衝材又は空気緩衝材が設けられることにより、当該カバーを取り付けた状態で携帯品が水に浸かったとしても、水に浮き、浮くことで存在場所を示すことができ、紛失等を防止、回収が出来るように、または継続浮上させることで位置を知らせることができる。
【０００８】
ここで、携帯品とは、人が携帯し得る物品を幅広く含む。携帯品の材質についても特に限定されず、紙や樹脂、金属など幅広い材質が用いられた物品に利用可能である。すなわち、携帯品は、書物、ノートブック、スケッチブック、メモ帳、モバイル携帯端末に限定されず、例えば、地図、時刻表、クーポン、雑誌、車検証、証明書なども含まれる。
気泡緩衝材とは、包装等に使用される公知の気泡入りの緩衝材のことであり、具体的には、２枚の樹脂製シートの内、一方のシートを成形して複数の円柱状や半球状などの突起を設け、空間を形成する該突起と他方のシートにより空気を閉じ込め、その空気圧で緩衝材の機能を持たせるものであり、樹脂製シートとしてはポリエチレンシート等比重が小さい素材が好適に用いられる。また、空気緩衝材とは、例えば、樹脂製のシートに凸状加工を加えたドーム部材が、樹脂フィルムであるベース部材上に溶着され、ドーム部材とベース部材の間に空隙が設けられたもののことである。
緩衝材が設けられる位置や大きさ、厚み等は、取付対象となる携帯品の大きさや重さによって、適宜設計される。例えば、取付対象となる携帯品が軽いものであれば、表表紙部と裏表紙部の何れかにのみ緩衝材を設け、取付対象となる携帯品が重いものであれば、表表紙部と裏表紙部の両方に緩衝材を設けるといった設計が可能である。
緩衝材は、カバーの表表紙部と裏表紙部の少なくとも何れかの表紙部の内面側又は内部に、設けられることが好ましい。緩衝材が設けられる位置は、表紙部における内部又は内面側であることにより、カバー外面のデザイン性を損なうことなく、水に浮く機能を持たせることができる。
緩衝材をカバーの内部に設ける場合には、樹脂シートで緩衝材を挟むように３層構造のシートとし、カバーを成形することができる。
【０００９】
本考案の携帯品カバーは、カバーで包む対象の携帯品の許容質量とカバーの質量の合計から換算した重力より、カバーの水中での浮力が大きくなるように、カバーに設けられる緩衝材の気泡又は空気の総体積が設計されたことでもよい。
例えば、ノートブックのカバーの場合、カバーできるサイズのノートブック自体の重量は予め想定できるため、カバー自体の重量を合わせた合計重量を水中で浮かせることができるように、緩衝材の気泡又は空気の総体積が設計される。もちろん、ノートブック自体の体積とカバー自体の体積から浮力を導き出せることになるが、緩衝材の気泡又は空気の総体積を指標とすることにより、より確実に浮かせることが可能になる。
【００１０】
本考案の携帯品カバーは、カバーで包む対象の携帯品の許容質量とカバーの質量の合計から換算した重力より、カバーで包まれた携帯品の水中での浮力が大きくなるように、携帯品の許容体積とカバーに設けられる緩衝材の気泡又は空気の総体積とが設計されたことでもよい。
【００１１】
本考案の携帯品カバーにおいて、携帯品の体積は、縦及び横の長さと厚みから算出され、カバーの表表紙部と裏表紙部の縦及び横の長さが、携帯品の縦及び横の長さと略同等又は大きく、背表紙部の厚みが、携帯品の厚みと比べて同等又は大きいことが好ましい。
本考案の携帯品カバーの仕様に適合しない携帯品、例えば、著しく重い携帯品を本考案の携帯品カバーに取り付けると、携帯品及びカバーの重力が浮力を上回り水に沈んでしまう場合がある。
この点、例えば、ノートのサイズは、日本工業規格（ＪＩＳ）で決められており、一般的にＢ５サイズと言われるセミＢ５サイズのサイズは、１７９×２５２ｍｍとされている。また、用いられる紙としては、７５ｇ／ｍ２の重さのものが用いられることが多い。したがって、一般的なノートを使用する場合であれば、当該ノートのサイズを把握できれば、ノートの凡その質量を算出することが可能である。
したがって、上記構成のように、取付対象となる携帯品の許容寸法をカバーの形状で画定することで、例えば、背表紙部の厚みよりも大きな厚みを有する携帯品については、当該携帯品カバーを取り付けられないことになり、カバーの仕様に適合しない大きな携帯品に取り付け、水中に落とした際に、沈んでしまうといった事故を防ぐことができる。
【００１２】
例えば、上述の空気緩衝材の場合、表面に模様やキャラクターを印刷することで、デザイン性を高めることが可能である。そのような加工がなされない場合には、本考案の携帯品カバーは、緩衝材がカバーの表紙部の内面側又は外面側に設けられた場合には、設けられた面上に、緩衝材を被覆するシート部材が貼り付けられたことでもよい。緩衝材を被覆するシート部材が貼り付けられることにより、緩衝材がユーザ等の目に触れなくなり、デザイン性が向上する。また、気泡緩衝材の気泡が潰れるといった破損を防止することにも役立つ。
【００１３】
本考案の携帯品カバーにおいて、表表紙部と裏表紙部とを閉じた状態で固定する機構としては、磁石と強磁性体を吸着させて固定する機構や、紐状体又は輪ゴム等の弾性体を用いて固定する機構など、幅広い仕様を採用可能であるが、本考案の携帯品カバーの表表紙部には折り返し部が延設され、折り返し部の内面側に面ファスナのループ部、裏表紙部の外面側に面ファスナのフック部が設けられ、又は、折り返し部の内面側に面ファスナのフック部、裏表紙部の外面側に面ファスナのループ部が設けられたことが好ましい。
折り返し部が延設され、かつ面ファスナが設けられることにより、本やノート等を閉じた状態の保持や、開閉が容易となる。
また、裏表紙部に固定用のスリットが形成され、折り返し部の端部を、裏表紙部に形成されたスリットに挿入して固定する構造でもよい。
【００１４】
本考案の携帯品カバーにおいて、カバーは、軟質の樹脂素材から成ることが好ましい。カバーに軟質の樹脂素材が用いられることにより、多様な携帯品にフィットし、かつ手触りが良いカバーとして利用できる。なお、カバーに十分な浮力が得られる場合には、硬質の素材を用いることも可能であるし、硬質と軟質の素材を併用することでもよい。
【００１５】
本考案の携帯品カバーセットは、上記の何れかに記載の携帯品カバーと、耐水紙が用いられたノートブック、スケッチブック又はメモ帳の何れかの携帯品とから成る。耐水紙が用いられたノートブック等と併せて用いられることにより、防水性と水に浮く機能を兼ね備えた仕様とすることができる。なお、ノートブック、スケッチブック、メモ帳に限定されず、その他の携帯品、例えば、地図、時刻表、クーポン、雑誌、車検証、証明書などに本考案の携帯品カバーを用いて、携帯品カバーセットとすることが可能である。
【考案の効果】
【００１６】
本考案によれば、携帯品を取り付けた状態で水に浮き、携帯品の存在場所を示すことができ、かつコンパクトで使用感の良い携帯品カバーとして利用できるといった効果を有する。
【図面の簡単な説明】
【００１７】
【図１】実施例１の携帯品カバーの外観図１
【図２】実施例１の携帯品カバーの外観図２
【図３】実施例１の携帯品カバーの外観図３
【図４】実施例１の携帯品カバーの外観図４
【図５】実施例１の携帯品カバーの使用イメージ図
【図６】実施例１の携帯品カバーの説明図
【図７】実施例２の携帯品カバーの正面図
【図８】実施例３の携帯品カバーの外観図
【図９】実施例４の携帯品カバーの背面図
【図１０】実施例５の携帯品カバーの外観図
【考案を実施するための最良の形態】
【００１８】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１９】
図１〜４は、実施例１の携帯品カバーの外観図であり、図１（１）は正面図、図１（２）はＡ−Ａ断面図、図２は正面図の説明図、図３は背面図、図４（１）は閉じた状態の正面図、図４（２）は閉じた状態の背面図を示している。
実施例１の携帯品カバー１は、ノートに取り付けて使用するものであり、図１（１）に示す正面図は、カバーの裏面を表したものである。図１（１）及び（２）に示すように、携帯品カバー１は、カバー本体２、気泡緩衝材３、ポケット部（４ａ，４ｂ）、面ファスナのフック部５ａ及びループ部５ｂから成る。カバー本体２は、表表紙部２ａ、裏表紙部２ｂ、背表紙部２ｃ及び折り返し部２ｄで構成される。気泡緩衝材３はカバー本体２の表表紙部２ａと裏表紙部２ｂの裏面上に貼り付けられている。カバー本体２は、軟質の塩化ビニル樹脂で形成されている。気泡緩衝材３には、多数の気泡部３ａが設けられている。
【００２０】
カバー本体２の裏面上には、図示しないが、気泡緩衝材３を含めカバー本体２の裏面の略全面を被覆するように、軟質の塩化ビニル樹脂から成るフィルムシートが貼り付けられている。本実施例では、カバー本体２には不透明の塩化ビニル樹脂を用い、カバー本体２の裏面を被覆するフィルムシートには、透明の塩化ビニル樹脂を用いているが、組み合わせはこの限りでなく、両方のシートを透明又は不透明としてもよいし、カバー本体２を透明、裏面のシートを不透明としてもよい。また、カバー本体２と、カバー本体２の裏面を被覆するフィルムシートの少なくとも何れかに硬質の塩化ビニル樹脂を用いてもよいし、塩化ビニル樹脂以外の樹脂素材を用いてもよい。さらに、カバー本体２の裏面を被覆するフィルムシートを設けない構成としてもよい。
このように、カバー本体２や、カバー本体２の裏面を被覆するフィルムシートの材質や構成を工夫することで様々なデザインの携帯品カバーを作製できる。
【００２１】
ポケット部（４ａ，４ｂ）は、ノート（図示せず）の表表紙及び裏表紙の端部を挿し込むために設けられている。ポケット部４ａは、上端、下端及び左端においてカバー本体２と接合されているが、図１（２）に示すように、右端は開放されている。同様に、ポケット部４ｂは、上端、下端及び右端においてカバー本体２と接合されているが、左端は開放されている。
【００２２】
図２に示すように、表表紙部２ａと裏表紙部２ｂの高さ及び幅は、何れも高さＨ、幅Ｗであり、同一となっている。高さＨと幅Ｗは、対象となるノートのサイズによって適宜設計可能であり、例えば、セミＢ５サイズのノート用カバーとする場合には、ノートよりやや大きなサイズとし、高さＨを２５６〜２６６ｍｍ、幅Ｗを１８３〜１９３ｍｍとすることが考えられる。
また、背表紙部２ｃの厚みＴについても、対象となるノートのサイズによって適宜設計可能である。
対象となるノートのサイズは、携帯品カバー１の気泡緩衝材３の気泡部３ａの総体積との関係で決定される。すなわち、携帯品カバー１は、携帯品カバー１で包むノートの許容質量と携帯品カバー１の質量の合計から換算した重力より、携帯品カバー１で包まれたノートの水中での浮力が大きくなるように、ノートの許容体積と携帯品カバー１の気泡緩衝材３の気泡部３ａの総体積とが設計される。
【００２３】
前述のように、ポケット部（４ａ，４ｂ）の３辺が固定され、かつ高さＨと幅Ｗが画定されることにより、例えば、セミＢ５サイズのノート用のカバーとした場合には、Ａ４サイズのノートはそもそも取り付けられず、サイズの合わないカバーを取り付け、水中に沈んでしまうといった事故を防止することができる。同様に、セミＢ５サイズのノートであっても、背表紙部２ｃの厚みＴを超える厚みを有するノートを取り付けようとした場合には、背表紙部２ｃの厚みが足らず、取り付けられないため、浮力が足りず水中に沈んでしまうといった事故を防止することができる。
【００２４】
図１（１）に示すように、折り返し部２ｄの裏面側には、面ファスナのフック部５ａが設けられ、図３に示すように、裏表紙部２ｂの表面側には面ファスナのループ部５ｂが設けられており、フック部５ａとループ部５ｂは、係合可能となっている。すなわち、表表紙部２ａと裏表紙部２ｂを背表紙部２ｃの位置で谷折りに畳み、表表紙部２ａと折り返し部２ｄの境界部で谷折りに畳むことで、図４（２）に示すように、コンパクトに畳むことが可能である。また、図４（１）及び（２）に示すように、カバー本体２の表面側は無地となっているため、ここにイラストや模様を印刷したり、デザイン性を高める部材を配置したりすることが可能である。
【００２５】
図５は、実施例１の携帯品カバーの使用イメージ図を示している。図５に示すように、ノート７の表表紙の端部をポケット部４ａに挿入し、ノート７の裏表紙の端部をポケット部４ｂに挿入して取り付ける。
【００２６】
図６は、実施例１の携帯品カバーの説明図であり、（１）は水面に浮かんだ状態、（２）及び（３）は浮力と重力の説明図を示している。なお、図６（２）及び（３）では、説明の便宜上、携帯品カバー１の形状をデフォルメし、ノート７の図示も省略している。
携帯品カバー１は、ノート７の許容質量と携帯品カバー１の質量の合計から換算した重力より、携帯品カバー１の水中での浮力が大きくなるように、カバーの気泡緩衝材３の気泡部３ａの総体積が設計されている。また、前述のように、携帯品カバー１は、携帯品カバー１で包むノート７の許容質量と携帯品カバー１の質量の合計から換算した重力より、携帯品カバー１で包まれたノート７の水中での浮力が大きくなるように、ノート７の許容体積と携帯品カバー１の気泡緩衝材３の気泡部３ａの総体積とが設計されている。
【００２７】
これにより、図６（２）に示すように、携帯品カバー１は、ノート７に取り付けられた状態で水１０の中に入れられると、水中では、「重力＜浮力」となることから、上方へ浮かび上がることになる。そして、図６（３）に示すように、携帯品カバー１は、「重力＝浮力」となり、水面に浮かんだ状態が維持されることになる。したがって、図６（１）に示すように、携帯品カバー１は、ノート７に取り付けられた状態で水１０の中に入れられたとしても水面に浮かぶこととなる。
【実施例２】
【００２８】
図７は、実施例２の携帯品カバーの正面図を示している。図７に示すように、携帯品カバー１ａでは、携帯品カバー１と異なり、表表紙部２ａ、裏表紙部２ｂ及び背表紙部２ｃの裏面上をシート部材８で被覆している。実施例１と同様に、携帯品カバー１ａにおいても、カバー本体２の裏面上には、図示しないが、気泡緩衝材３を含めカバー本体２の裏面の略全面を被覆するように、透明で軟質の塩化ビニル樹脂から成るフィルムシートが貼り付けられている。当該フィルムシートは透明であるため、実施例１の携帯品カバー１では、見た目は気泡緩衝材３が剥き出しとなる。そこで、図７に示すように気泡緩衝材３を覆うようにシート部材８を貼り付けることで、気泡緩衝材３が剥き出しとならず、デザイン性の高い携帯品カバーとすることができる。
本実施例では、シート部材８を、表表紙部２ａ、裏表紙部２ｂ及び背表紙部２ｃの裏面上に貼り付けているが、例えば、気泡緩衝材３が設けられた表表紙部２ａ及び裏表紙部２ｂにのみ貼り付けることでもよいし、カバー本体２の裏面全面に貼り付けることでもよい。
【実施例３】
【００２９】
図８は、実施例３の携帯品カバーの外観図であり、（１）は正面図、（２）は背面図を示している。図８（１）に示すように、携帯品カバー１ｂのカバー本体２１は、表表紙部２ａ、裏表紙部２ｂ及び背表紙部２ｃで構成される。図８（２）に示すように、携帯品カバー１ｂは、表面上に、平面視で棒状のドーム６ａが、左右両端に設けられている。
ドーム６ａは空気緩衝材であり、樹脂製のシートに凸状加工を加えたドーム部材が、樹脂フィルムであるベース部材上に溶着され、ドーム部材とベース部材の間に空隙が設けられたものである。ここでは図示しないが、ドーム６ａは、表面が凸状に膨らんだ形状となっているため、ユーザ（図示せず）は、本やノートを読む際に、ドーム６ａを把持部として利用することができる。また、ドーム６ａの内部には空隙が設けられているため、携帯品カバーの浮力を向上させる効果も有している。
【実施例４】
【００３０】
図９は、実施例４の携帯品カバーの背面図を示している。図９に示すように、携帯品カバー１ｃは、表面上に、平面視で円形状のドーム６ｂが、左右両端に５つずつ設けられている。ドーム６ｂは空気緩衝材であり、平面形状以外の構造はドーム６ａと同様である。
このように、円形状のドーム６ｂを縦に複数配置することで、ドーム６ｂ同士の間に間隙９が形成され、把持部として利用した際に、滑り止めの効果を持たせることができる。
【実施例５】
【００３１】
図１０は、実施例５の携帯品カバーの外観図であり、（１）は閉じた状態の正面図、（２）は閉じた状態の背面図を示している。
図１０（１）に示すように、携帯品カバー１ｄでは、表表紙部２ａの表面上に、平面視で楕円形状のドーム６ｃが設けられている。ドーム６ｃは空気緩衝材であるが、ドーム６ａと異なり、ドーム部材とベース部材の間に設けられた空隙に、ＮＦＣ（Near field communication）チップ１３が設けられている。ＮＦＣチップ１３が設けられることにより、外部との通信が可能となり、災害や遭難救助の際に役立てることが可能である。
また、図１０（１）及び（２）に示すように、表表紙部２ａと裏表紙部２ｂの表面上には、それぞれ二次元コード１２が印刷されている。二次元コード１２が印刷され、表示されることにより、外部ＩＴ（Information technology）機器もしくはＩｏＴ（Internet of Things）機器、ユビキタス等での読み取り可能となり、ユーザの識別等が容易となる。なお、二次元コード１２としては、ＱＲコード（登録商標）が好適に用いられる。
ＮＦＣチップ１３や二次元コード１２は、携帯品の持ち主を識別できるため、紛失等の際にも有用であるが、災害や遭難救助の際に特に有用である。また、二次元コード１２は、表表紙部２ａと裏表紙部２ｂの両方に設けられているため、何れの面が上向きとなって水面に浮かんだとしても、上方へ向けてコードを表示することが可能である。
【００３２】
図１０（２）に示すように、携帯品カバー１ｄは、携帯品カバー１と異なり、面ファスナを用いて固定するのではなく、留め部２ｅを用いて固定する構造となっている。留め部２ｅには磁石１１が設けられており、裏表紙部２ｂの内部に設けられたメタルプレート（図示せず）と吸着して固定する構造である。上記構成とは異なり、裏表紙部２ｂに磁石を設け、留め部２ｅにメタルプレート等の強磁性体を設けることでもよい。
図１０（１）及び（２）に示すように、背表紙部２ｃの上部には連結具１４が設けられており、鍵や警笛、筆記用具など、任意の部材を取り付け可能となっている。これにより、多用途に利用可能となり利便性の高い仕様となっている。
【００３３】
（その他の実施例）
１）携帯品カバーを閉じた状態で固定する機構としては、紐状体又は輪ゴム等の弾性体を用いて固定する機構が設けられたものでもよい。
２）カバー本体（２，２１）の表面の全部又は一部に、光を反射する反射材を設け、海難救助等の際に、発見を容易にする構成としてもよい。
３）ドーム（６ａ〜６ｃ）の形状や設ける個数を変更する等、気泡緩衝材３を設けずに、空気緩衝材のみで携帯品カバーの浮力を向上させる構造としてもよい。
【産業上の利用可能性】
【００３４】
本考案は、書物、ノートブック、スケッチブック、メモ帳、モバイル携帯端末などの携帯品のカバーとして有用である。
【符号の説明】
【００３５】
１，１ａ〜１ｄ  携帯品カバー
２，２１  カバー本体
２ａ  表表紙部
２ｂ  裏表紙部
２ｃ  背表紙部
２ｄ  折り返し部
２ｅ  留め部
３  気泡緩衝材
３ａ  気泡部
４ａ，４ｂ  ポケット部
５ａ  フック部
５ｂ  ループ部
６ａ〜６ｃ  ドーム
７  ノート
８  シート部材
９  間隙
１０  水
１１  磁石
１２  二次元コード
１３  ＮＦＣチップ
１４  連結具
Ｈ  高さ
Ｔ  厚み
Ｗ  幅
【図１】
0003229871.tif 000003
【図２】
0003229871.tif 000004
【図３】
0003229871.tif 000005
【図４】
0003229871.tif 000006
【図５】
0003229871.tif 000007
【図６】
0003229871.tif 000008
【図７】
0003229871.tif 000009
【図８】
0003229871.tif 000010
【図９】
0003229871.tif 000011
【図１０】
0003229871.tif 000012